(57)【要約】【課題】防水性能の低下を防止することができる電気電子部品の防水収容構造および電気電子部品内蔵コネクタを提供すること。【解決手段】電気電子部品１３を収容し、かつ、電気電子部品１３を着脱可能な開口部１０ａを形成した電気電子部品収容部１０と、開口部１０ａを塞ぐ防水蓋２０と、防水蓋２０の本体部分を構成する蓋本体部３０に取り付ける弾性シール部材４０と、を有する電気電子部品の防水収容構造１において、電気電子部品の防水収容構造１は、蓋本体部３０の外側に取り付けるカバー部材５０を有し、蓋本体部３０は、カバー部材５０を取り付ける面となるカバー取付面３２に弾性シール部材４０の一部を嵌め込むカバー取付面側溝部３１ｃを有し、弾性シール部材４０は、カバー取付面側溝部３１ｃに嵌め込み、かつ、蓋本体部３０とカバー部材５０との間に配置することによって、弾性シール部材４０を蓋本体部３０に位置決めしつつ固定する固定部４３を有する。【選択図】図３
2015176879.tif 000002
【特許請求の範囲】
【請求項１】
電気電子部品を収容し、かつ、該電気電子部品を着脱可能な開口部を形成した電気電子部品収容部と、前記開口部を塞ぐ防水蓋と、前記防水蓋の本体部分を構成する蓋本体部に取り付ける弾性シール部材と、を有する電気電子部品の防水収容構造において、
当該電気電子部品の防水収容構造は、
前記蓋本体部の外側に取り付けるカバー部材を有し、
前記蓋本体部は、
前記カバー部材を取り付ける面となるカバー取付面に前記弾性シール部材の一部を嵌め込むカバー取付面側溝部
を有し、
前記弾性シール部材は、
前記カバー取付面側溝部に嵌め込み、かつ、前記蓋本体部と前記カバー部材との間に配置することによって、前記弾性シール部材を前記蓋本体部に位置決めしつつ固定する固定部
を有することを特徴とする電気電子部品の防水収容構造。
【請求項２】
前記カバー部材は、
少なくとも一部が電磁シールド機能を有する材料からなる
ことを特徴とする請求項１に記載の電気電子部品の防水収容構造。
【請求項３】
前記カバー部材は、
前記蓋本体部に取り付けた場合に前記カバー取付面側溝部に嵌め込んだ前記固定部の少なくとも一部を目視確認可能な貫通孔または光透過性の部分からなる目視確認部
を有することを特徴とする請求項１または２に記載の電気電子部品の防水収容構造。
【請求項４】
前記カバー部材は、
前記蓋本体部の前記カバー取付面に重ね合わせる面となる取付面を有し、
前記目視確認部は、
前記取付面の裏面上に設ける
ことを特徴とする請求項３に記載の電気電子部品の防水収容構造。
【請求項５】
前記弾性シール部材は、
環状をなして前記蓋本体部の周側面に沿って取り付ける環状部と、
前記環状部の一部から周方向に直交するように、かつ、前記カバー取付面側に向けて突出するように形成した突出部と、
を有し、
前記カバー取付面は、
前記周側面に対して直交方向に形成し、
前記固定部は前記突出部に対して直交方向に連接する
ことを特徴とする請求項１、２、３、または４に記載の電気電子部品の防水収容構造。
【請求項６】
前記固定部は、
下端を前記突出部との接続部分とするＴ字状をなす
ことを特徴とする請求項５に記載の電気電子部品の防水収容構造。
【請求項７】
電気電子部品を内蔵した電気電子部品内蔵コネクタにおいて、
請求項１から請求項６のいずれか一つに記載の電気電子部品の防水収容構造を有する
ことを特徴とする電気電子部品内蔵コネクタ。
【発明の詳細な説明】
【技術分野】
【０００１】
本発明は、電気電子部品の防水収容構造および電気電子部品内蔵コネクタに関する。
【背景技術】
【０００２】
従来、電気電子部品を防水可能に収容する電気電子部品の防水収容構造は、電気電子部品等をハウジング等の電気電子部品収容部内に収容し、パッキン等の弾性シール部材を用いて防水機能を高めるようにしている。
例えば、特許文献１には、電気電子部品の防水収容構造としてコネクタハウジング内に電気部品であるヒューズを収容した電気電子部品内蔵コネクタが記載されている。
【０００３】
ところで、ヒューズを内蔵した電気電子部品内蔵コネクタは、例えば、ヒューズ交換のためヒューズの着脱を容易に行えるように、ヒューズが収容されるコネクタハウジングの一部に開口部を設け、その開口部からヒューズの着脱を可能としている。このため、開口部を、図１３に示すような、弾性シール部材４００を蓋本体部３１０に取り付けた防水蓋３００で塞ぐようにしている。
また、防水蓋３００は、樹脂製の蓋本体部３１０の外側を覆うように電磁シールド機能を有するカバー部材５００を取り付けている。
また、弾性シール部材４００は、位置決め突起４１０を設け、この位置決め突起４１０を蓋本体部３１０の位置決め溝３１０ａに位置決めしながら取り付けるようになっている。
【先行技術文献】
【特許文献】
【０００４】
【特許文献１】特開２０１１−２２２３９８号公報
【発明の概要】
【発明が解決しようとする課題】
【０００５】
しかしながら、図１３に示した従来の電気電子部品の防水収容構造は、位置決め突起が位置決め溝をのり越え、弾性シール部材が正規の取付位置からズレてしまい、結果的に、電気電子部品の防水収容構造の防水性能が低下してしまうおそれがあった。
【０００６】
本発明は、上記に鑑みてなされたものであって、防水性能の低下を防止することができる電気電子部品の防水収容構造および電気電子部品内蔵コネクタを提供することを目的とする。
【課題を解決するための手段】
【０００７】
上述した課題を解決し、目的を達成するために、本発明の請求項１に係る電気電子部品の防水収容構造は、電気電子部品を収容し、かつ、該電気電子部品を着脱可能な開口部を形成した電気電子部品収容部と、前記開口部を塞ぐ防水蓋と、前記防水蓋の本体部分を構成する蓋本体部に取り付ける弾性シール部材と、を有する電気電子部品の防水収容構造において、当該電気電子部品の防水収容構造は、前記蓋本体部の外側に取り付けるカバー部材を有し、前記蓋本体部は、前記カバー部材を取り付ける面となるカバー取付面に前記弾性シール部材の一部を嵌め込むカバー取付面側溝部を有し、前記弾性シール部材は、前記カバー取付面側溝部に嵌め込み、かつ、前記蓋本体部と前記カバー部材との間に配置することによって、前記弾性シール部材を前記蓋本体部に位置決めしつつ固定する固定部を有することを特徴とする。
【０００８】
また、本発明の請求項２に係る電気電子部品の防水収容構造は、上記の発明において、前記カバー部材は、少なくとも一部が電磁シールド機能を有する材料からなることを特徴とする。
【０００９】
また、本発明の請求項３に係る電気電子部品の防水収容構造は、上記の発明において、前記カバー部材は、前記蓋本体部の前記カバー取付面に重ね合わせる面となる取付面を有し、前記目視確認部は、前記取付面の裏面上に設けることを特徴とする。
【００１０】
また、本発明の請求項４に係る電気電子部品の防水収容構造は、上記の発明において、前記目視確認部は、前記カバー部材の前記蓋本体部への取付方向で目視確認可能に前記カバー部材に設けることを特徴とする。
【００１１】
また、本発明の請求項５に係る電気電子部品の防水収容構造は、上記の発明において、前記弾性シール部材は、環状をなして前記蓋本体部の周側面に沿って取り付ける環状部と、前記環状部の一部から周方向に直交するように、かつ、前記カバー取付面側に向けて突出するように形成した突出部と、を有し、前記カバー取付面は、前記周側面に対して直交方向に形成し、前記固定部は前記突出部に対して直交方向に連接することを特徴とする。
【００１２】
また、本発明の請求項６に係る電気電子部品の防水収容構造は、上記の発明において、前記固定部は、下端を前記突出部との接続部分とするＴ字状をなすことを特徴とする。
【００１３】
上述した課題を解決し、目的を達成するために、本発明の請求項７に係る電気電子部品内蔵コネクタは、電気電子部品を内蔵した電気電子部品内蔵コネクタにおいて、請求項１から請求項６のいずれか一つに記載の電気電子部品の防水収容構造を有することを特徴とする。
【発明の効果】
【００１４】
本発明の請求項１に係る電気電子部品の防水収容構造は、前記固定部を前記カバー取付面側溝部に嵌め込み、かつ、前記蓋本体部と前記カバー部材との間に配置することによって、前記弾性シール部材を前記蓋本体部に位置決めしつつ固定することができ、前記弾性シール部材が前記蓋本体部の正規の取付位置からズレることを阻止することができるので、結果的に、防水性能の低下を防止することができる。
【００１５】
本発明の請求項２に係る電気電子部品の防水収容構造は、前記カバー部材の少なくとも一部が電磁シールド機能を有する材料からなるので、前記カバー部材によってシールド機能を付加することができる。
【００１６】
本発明の請求項３に係る電気電子部品の防水収容構造は、前記目視確認部によって、前記固定部を前記カバー取付面側溝部に嵌め込んだ状態にあるか否か、すなわち、前記弾性シール部材が正規の取付位置に取り付けてあるか否かを確認することができるので、前記弾性シール部材の取り付けミスを未然に防止することができる。
【００１７】
本発明の請求項４に係る電気電子部品の防水収容構造は、前記目視確認部を前記取付面の裏面上に設けることによって、前記目視確認部を前記蓋本体部への前記カバー部材の取付方向で目視確認可能になっているので、前記蓋本体部への前記カバー部材の取り付け作業の一連の流れの中で、前記目視確認部による確認作業を行うことができる。
【００１８】
本発明の請求項５に係る電気電子部品の防水収容構造は、前記固定部が前記突出部に対して直交方向に連接するため、前記環状部の周方向に直交する方向での前記弾性シール部材のズレを前記固定部によって効果的に阻止することができる。
【００１９】
本発明の請求項６に係る電気電子部品の防水収容構造は、前記固定部がＴ字形状をなし、前記カバー取付面側溝部が前記固定部の形状に対応したＴ字形状をなすので、前記カバー取付面側溝部を形成する壁が前記固定部のズレに対して複数箇所で前記固定部に当接してズレを阻止するため、より確実に前記弾性シール部材が前記蓋本体部の正規の取付位置からズレることを阻止することができる。
【００２０】
本発明の請求項７に係る電気電子部品内蔵コネクタは、請求項１から請求項６のいずれか一つに記載の電気電子部品の防水収容構造を有するので、前記電気電子部品の防水収容構造と同様の効果を奏することができる。
【図面の簡単な説明】
【００２１】
【図１】図１は、本発明の実施例に係る電気電子部品内蔵コネクタの分解斜視図である。
【図２】図２は、電気電子部品内蔵コネクタの斜視図である。
【図３】図３は、防水蓋を示すためにカバー部材を透視した電気電子部品内蔵コネクタの斜視図である。
【図４】図４は、防水蓋の分解斜視図である。
【図５】図５は、防水蓋とカバー部材との組立体の斜視図である。
【図６】図６は、図５に示した防水蓋とカバー部材との組立体のＡ−Ａ線断面図である。
【図７】図７は、蓋本体部に弾性シール部材を取り付けるまでの手順を示す図である。
【図８】図８は、弾性シール部材を取り付け完了した防水蓋にカバー部材を取り付けるまでの手順を示す図である。
【図９】図９は、ネジによって、カバー部材を防水蓋にネジ止め固定するまでの手順を示す図であり、（ａ）が、ネジをネジ孔に挿入する前の状態を示し、（ｂ）がカバー部材のネジ止め固定を完了した状態を示す図である。
【図１０】図１０は、変形例１の電気電子部品の防水収容構造の弾性シール部材の固定部周辺を拡大した斜視図である。
【図１１】図１１は、（ａ）が変形例２の電気電子部品の防水収容構造の弾性シール部材の固定部周辺を拡大した斜視図であり、（ｂ）が固定部を嵌め込んだカバー取付面側溝部周辺を拡大した斜視図である。
【図１２】図１２は、（ａ）が変形例３の電気電子部品の防水収容構造の弾性シール部材の固定部周辺を拡大した斜視図であり、（ｂ）が固定部を嵌め込んだカバー取付面側溝部周辺を拡大した斜視図である。
【図１３】図１３は、従来技術を説明するための図である。
【発明を実施するための形態】
【００２２】
以下、図面を参照して、本発明に係る電気電子部品の防水収容構造および電気電子部品内蔵コネクタの好適な実施例を詳細に説明する。
【実施例】
【００２３】
図１は、本発明の実施例に係る電気電子部品内蔵コネクタ２００の分解斜視図である。図２は、電気電子部品内蔵コネクタ２００の斜視図である。図３は、防水蓋２０を示すためにカバー部材５０を透視した電気電子部品内蔵コネクタ２００の斜視図である。図４は、防水蓋２０の分解斜視図である。図５は、防水蓋２０とカバー部材５０との組立体の斜視図である。図６は、図５に示した防水蓋２０とカバー部材５０との組立体のＡ−Ａ線断面図である。
本発明の実施例に係る電気電子部品の防水収容構造１は、電気電子部品としてのヒューズ１３を収容し、かつ、ヒューズ１３を着脱可能な開口部１０ａを形成した電気電子部品収容部１０と、開口部１０ａを塞ぐ防水蓋２０と、防水蓋２０の本体部分を構成する蓋本体部３０に取り付ける弾性シール部材４０と、蓋本体部２１の外側に取り付けるカバー部材５０と、を有する。
この電気電子部品の防水収容構造１は、ヒューズ１３を内蔵した電気電子部品内蔵コネクタ２００に用いる。すなわち、電気電子部品内蔵コネクタ２００は、電気電子部品の防水収容構造１を有する。
この電気電子部品内蔵コネクタ２００は、この実施例では、自動車のエアコンに電源からの電力、あるいは制御信号を送るコネクタであり、ヒューズ１３を内蔵するものである。
【００２４】
まず、電気電子部品収容部１０について説明する。
電気電子部品収容部１０は、電気電子部品内蔵コネクタ２００のコネクタハウジングであり、合成樹脂等の絶縁性樹脂からなる絶縁収容部１１と、絶縁収容部１１の外表面を電磁シールド可能に覆うシールドカバー部１２と、を有する。
【００２５】
絶縁収容部１１は、ヒューズ１３をコネクタ端子２０１に電気的に接続可能に収容する電気電子部品収容空間１１ｂを形成している。この電気電子部品収容空間１１ｂが、開口部１０ａによって外部に開放できるようになっている。
このため、開口部１０ａから電気電子部品収容部１０内にヒューズ１３を装着すること、および電気電子部品収容部１０外にヒューズ１３を離脱することができるようになっている。すなわち、コネクタ端子２０１に過電流が流れてヒューズ１３が溶断した場合、開口部１０ａからヒューズ１３の交換作業を容易に行うことができるようになっている。
【００２６】
シールドカバー部１２は、電磁シールド機能を有する材料からなり、カバー部材５０と合わせることによって、電気電子内蔵コネクタ２００全体の電磁シールド効果を得ることができるようになっている。
【００２７】
次に、防水蓋２０について説明する。
防水蓋２０は、本体部分を構成する蓋本体部３０と、蓋本体部３０に取り付ける弾性シール部材４０と、を有する。
【００２８】
蓋本体部３０は、合成樹脂等の絶縁性樹脂材からなる板状部材であり、開口部１０ａへの防水蓋２０の取り付け方向に所定の厚みを持たせ、かつ、開口部１０ａの内周面形状に対応した周側面３０ａを有する。
この蓋本体部３０は、弾性シール部材４０を正規の取付位置に位置決め配置するための位置決め溝部３１と、カバー部材５０を取り付ける面となるカバー取付面３２を有する。
【００２９】
位置決め溝部３１は、周方向溝部３１ａと、取付方向溝部３１ｂと、カバー取付面側溝部３１ｃと、を有する。
【００３０】
周方向溝部３１ａは、蓋本体部３０の周側面３０ａに沿って環状に形成した溝であり、弾性シール部材４０の後述する環状部４１を嵌め込むための溝である。
【００３１】
取付方向溝部３１ｂは、弾性シール部材４０の後述する突出部４２を嵌め込むための溝である。
この取付方向溝部３１ｂは、より具体的には、周方向溝部３１ａの一部から、周方向に直交するように、かつ、カバー取付面３２側に向けて形成した溝である。このため、取付方向溝部３１ｂは、弾性シール部材４０の蓋本体部３０への取り付け方向に沿うようにカバー取付面３２側に向けて延びる。
【００３２】
カバー取付面側溝部３１ｃは、カバー取付面３２に弾性シール部材４０の一部である後述する固定部４３を嵌め込む溝である。
このカバー取付面側溝部３１ｃは、より具体的には、取付方向溝部３１ｂから、カバー取付面３２の内側に向けて形成した溝である。
ここで、固定部４３は、Ｔ字形状をなすため、カバー取付面側溝部３１ｃは、固定部４３の形状に対応したＴ字形状をなす。
【００３３】
カバー取付面３２は、カバー部材５０を取り付けるため面であり、周側面３０ａに対して直交方向に形成する。すなわち、カバー取付面３２は、作業者がカバー部材５０の取り付け作業を行なう側に向いた面になっている。
このカバー取付面３２は、カバー部材５０を固定部材としてのネジ１４よって固定する部分となるカバー部材固定部３２ａを有する。
【００３４】
カバー部材固定部３２ａは、カバー部材５０のネジ挿通孔５２にネジ１４を挿通した状態でカバー部材５０を蓋本体部３０にネジ止め固定するためのネジ孔である。
なお、固定部材は、ネジ１４に限らず、固定ピン等、その他のものを用いても構わない。ネジ１４以外の固定部材を用いた場合、カバー部材固定部３２ａは、固定部材に対応したものに適宜変更するとよい。
【００３５】
弾性シール部材４０は、弾性材からなる環状部材であり、本体部分をなす環状部４１と、環状部４１の一部から突出した突出部４２と、突出部４２に連接する固定部４３と、を有する。
【００３６】
環状部４１は、蓋本体部３０の周方向溝部３１ａに嵌め込み、防水蓋２０を開口部１０ａに取り付けた場合、開口部１０ａの内周面１１ａに弾性的に圧縮した状態で密着することによって、開口部１０ａを防水可能に塞ぐ部分である。
この環状部４１は、弾性シール部材４０の取付方向に沿って複数の山状部分を有する形状、いわゆるリップ形状をなすことによって、取り付け性、および防水性を高めている。
【００３７】
突出部４２は、環状部４１の一部から、周方向に直交するように、かつ、カバー取付面３２側に向けて突出するように形成した部分であり、かつ、取付方向溝部３１ｂに嵌め込む部分である。
この突出部４２は、弾性シール部材４０の位置決め機能なしている。
【００３８】
固定部４３は、カバー取付面側溝部３１ｃに嵌め込み、かつ、蓋本体部３０とカバー部材５０との間に配置することによって、弾性シール部材４０を蓋本体部３０に位置決めしつつ固定する部分である。
この固定部４３は、突出部４２に対して直交方向に連接する。
このため、固定部４３は、図６に示すように、カバー部材５０と、蓋本体部３０とによって、矢印Ｚ方向でのズレが阻止される。
【００３９】
また、固定部４３はＴ字形状をなし、カバー取付面側溝部３１ｃが固定部４３の形状に対応したＴ字形状をなすので、図３および図４に示すように、カバー取付面側溝部３１ｃを形成する壁が、矢印Ｘ方向、および矢印Ｙ方向での固定部４３のズレに対して複数箇所で固定部４３に当接してズレを阻止するようになっている。
【００４０】
このような固定部４３によるズレ防止機能によって、弾性シール部材４０を蓋本体部３０の正規の取付位置に固定することができるようになっている。
【００４１】
次に、カバー部材５０について説明する。
カバー部材５０は、電磁シールド機能を有する材料からなり、電気電子部品内蔵コネクタ２００に電磁シールド機能を付加するものである。
なお、カバー部材５０は、少なくとも一部が電磁シールド機能を有する材料からなるものであっても構わない。
【００４２】
このカバー部材５０は、全体的に板状をなし、蓋本体部３０のカバー取付面３２に重ね合わせる面となる取付面５１と、固定部材としてのネジ１４を挿通するネジ挿通孔５２と、カバー部材５０を蓋本体部３０に取り付けた状態で、カバー取付面側溝部３１ｃに嵌め込んだ固定部４３の少なくとも一部を目視確認可能な貫通孔からなる目視確認部５３と、を有する。
【００４３】
ネジ挿通孔５２は、蓋本体部３０に形成したネジ孔であるカバー部材固定部３２ａに対応した位置に設ける。
【００４４】
目視確認部５３は、取付面５１の裏面５１ａ上に設ける。このため、目視確認部５３は、蓋本体部３０へのカバー部材５０の取付方向で目視確認可能になっている。すなわち、蓋本体部３０へのカバー部材５０の取り付け作業の一連の流れの中で、目視確認部５３による確認作業を行うことができるようになっている。
また、カバー取付面側溝部３１ｃはカバー部材固定部３２ａの近傍に設けているので、目視確認部５３は、ネジ挿通孔５２の近傍に位置するようになっている。
これにより、カバー部材５０をネジ１４によって固定する前に目視確認部５３を確認し易いようになっている。
【００４５】
なお、目視確認部５３は、貫通孔であるものを例示したが、これに限らず、カバー部材５０を通してカバー取付面側溝部３１ｃに嵌め込んだ固定部４３を目視確認することができるようになっていればよい。例えば、目視確認部５３は、ガラス等の光透過性の部分からなるものであっても構わない。
【００４６】
ここで、図７−図９を用いて、弾性シール部材４０の蓋本体部３０への取り付け手順、および防水蓋２０へのカバー部材５０の取り付け手順について説明する。
図７は、蓋本体部３０に弾性シール部材４０を取り付けるまでの手順を示す図である。図８は、弾性シール部材４０を取り付け完了した防水蓋２０にカバー部材５０を取り付けるまでの手順を示す図である。図９は、ネジ１４によって、カバー部材５０を防水蓋２０にネジ止め固定するまでの手順を示す図であり、（ａ）が、ネジ１４をカバー部材固定部３２ａに挿入する前の状態を示し、（ｂ）がカバー部材５０のネジ止め固定を完了した状態を示す図である。
【００４７】
まず、作業者は、弾性シール部材４０を蓋本体部３０に取り付ける（図７参照）。ここで、作業者は、弾性シール部材４０の突出部４２、あるいは、固定部４３を位置決めの目安とする。
具体的には、突出部４２を取付方向溝部３１ｂに合わせるように、あるいは、固定部４３をカバー取付面側溝部３１ｃに合わせるようにして弾性シール部材４０の位置決めを行なう。これにより、弾性シール部材４０は、突出部４２が取付方向溝部３２ｂに嵌め込まれ、さらには、固定部４３がカバー取付面側溝部３１ｃに嵌め込まれて位置決めされた状態で、環状部４１が周方向溝部３１ａに嵌め込まれる。
【００４８】
その後、作業者は、カバー部材５０を蓋本体部３０に取り付ける（図８参照）。ここで、作業者は、カバー部材５０のネジ挿通孔５２を蓋本体部３０のカバー部材固定部３２ａに合わせようにして、カバー部材５０の取付面５１と蓋本体部３０のカバー取付面３２とを重ね合わせる。
これにより、固定部４３が蓋本体部３０とカバー部材５０との間に配置される。また、カバー部材５０の目視確認部５３がカバー取付面側溝部３１ｃに嵌め込んだ固定部４３の少なくとも一部を目視確認可能な位置に配置される。
【００４９】
その後、作業者は、ネジ１４によってカバー部材５０を蓋本体部３０に固定し、防水蓋２０へのカバー部材５０の取り付けを完了する（図９参照）。ここで、作業者は、カバー部材５０を蓋本体部３０にネジ止め固定する前に、ネジ挿通孔５２が形成された取付面５１に設けた目視確認部５３からカバー取付面側溝部３１ｃに固定部４３が嵌め込まれているか否かを確認する。
もし、目視確認部５３から固定部４３が確認できなかった場合、弾性シール部材４０が蓋本体部３０の正規の取り付け位置からズレているため、作業者は、弾性シール部材４０を正規の取り付け位置に付け直す。
【００５０】
本発明の実施例に係る電気電子部品の防水収容構造１は、固定部４３をカバー取付面側溝部３１ｃに嵌め込み、かつ、蓋本体部３０とカバー部材５０との間に配置することによって、弾性シール部材４０を蓋本体部３０に位置決めしつつ固定することができ、弾性シール部材４０が蓋本体部３０の正規の取付位置からズレることを阻止することができるので、結果的に、防水性能の低下を防止することができる。
【００５１】
また、本発明の実施例に係る電気電子部品の防水収容構造１は、カバー部材５０の少なくとも一部が電磁シールド機能を有する材料からなるので、カバー部材５０によってシールド機能を付加することができる。
【００５２】
また、本発明の実施例に係る電気電子部品の防水収容構造１は、目視確認部５３によって、固定部４３をカバー取付面側溝部３１ｃに嵌め込んだ状態にあるか否か、すなわち、弾性シール部材４０が正規の取付位置に取り付けてあるか否かを確認することができるので、弾性シール部材４０の取り付けミスを未然に防止することができる。
【００５３】
また、本発明の実施例に係る電気電子部品の防水収容構造１は、目視確認部５３を取付面５１の裏面５１ａ上に設けることによって、目視確認部５３を蓋本体部３０へのカバー部材５０の取付方向で目視確認可能になっているので、蓋本体部３０へのカバー部材５０の取り付け作業の一連の流れの中で、目視確認部５３による確認作業を行うことができる。
【００５４】
また、本発明の実施例に係る電気電子部品の防水収容構造１は、カバー取付面側溝部３１ｃをカバー部材固定部３２ａの近傍に設けることによって、目視確認部５３がネジ挿通孔５２の近傍に位置するようになっているので、カバー部材５０を固定部材１４によって固定する前に目視確認部５３を容易に確認することができる。
【００５５】
また、本発明の実施例に係る電気電子部品の防水収容構造１は、固定部４３が突出部４２に対して直交方向に連接するため、環状部４１の周方向に直交する方向での弾性シール部材４０のズレを固定部４３によって効果的に阻止することができる。
【００５６】
また、本発明の実施例に係る電気電子部品の防水収容構造１は、固定部４３がＴ字形状をなし、カバー取付面側溝部３１ｃが固定部４３の形状に対応したＴ字形状をなすので、カバー取付面側溝部３１ｃを形成する壁が固定部４３のズレに対して複数箇所で固定部４３に当接してズレを阻止するため、より確実に弾性シール部材４０が蓋本体部３０の正規の取付位置からズレることを阻止することができる。
【００５７】
また、本発明の実施例に係る電気電子部品内蔵コネクタ２００は、電気電子部品の防水収容構造１を有するので、電気電子部品の防水収容構造１と同様の効果を奏することができる。
【００５８】
（変形例１）
次に、図１０を用いて本発明の実施例に係る電気電子部品の防水収容構造１の変形例１について説明する。
図１０は、変形例１の電気電子部品の防水収容構造２の弾性シール部材６０の固定部６１周辺を拡大した斜視図である。
この変形例１の電気電子部品の防水収容構造２は、固定部６１の寸法が異なる点で実施例の電気電子部品の防水収容構造１と異なる。
なお、その他の構成は実施例と同様であり、実施例と同一構成部分には同一符号を付している。
【００５９】
電気電子部品の防水収容構造２は、固定部６１が、実施例の固定部４３に比して、幅Ｗを大きくするように調整している。すなわち、固定部６１の表面積を大きくするように調整している。
【００６０】
この変形例１の電気電子部品の防水収容構造２は、実施例の電気電子部品の防水収容構造１と同様の効果を奏するとともに、蓋本体部３０とカバー部材５０との間に配置する固定部６１の表面積を大きくし、蓋本体部３０とカバー部材５０との接触面積を拡大することによって、固定部６１による弾性シール部材６０を正規位置に保持する効果をより高めることができる。
【００６１】
（変形例２）
次に、図１１を用いて本発明の実施例に係る電気電子部品の防水収容構造１の変形例２について説明する。
図１１は、（ａ）が変形例２の電気電子部品の防水収容構造３の弾性シール部材８０の固定部７１周辺を拡大した斜視図であり、（ｂ）が固定部８１を嵌め込んだカバー取付面側溝部７１周辺を拡大した斜視図である。
変形例２の電気電子部品の防水収容構造３は、固定部８１が、Ｔ字の両端を折り曲げた端部折れ曲り部８１ａを有し、カバー取付面側溝部７１が固定部８１の形状に対応して端部折れ曲り部８１ａと固定部８１のＴ字の中心片８１ｂとの間に入り込む規制壁７１ａを形成している点で実施例の電気電子部品の防水収容構造１と異なる。
なお、その他の構成は実施例と同様であり、実施例と同一構成部分には同一符号を付している。
【００６２】
この変形例２の電気電子部品の防水収容構造３は、実施例の電気電子部品の防水収容構造１と同様の効果を奏するとともに、固定部８１とカバー取付面側溝部７１とが複雑に入り混んだ形状をなしているため、弾性シール部材８０の矢印Ｘ方向、および、矢印Ｙ方向での固定部８１のズレをより確実に阻止することができる。
【００６３】
（変形例３）
次に、図１２を用いて本発明の実施例に係る電気電子部品の防水収容構造１の変形例３について説明する。
図１２は、（ａ）が変形例３の電気電子部品の防水収容構造４の弾性シール部材１００の固定部１０１周辺を拡大した斜視図であり、（ｂ）が固定部１０１を嵌め込んだカバー取付面側溝部９１周辺を拡大した斜視図である。
電気電子部品の防水収容構造４は、固定部１０１が、輪状をなし、カバー取付面側溝部９１が固定部１０１の外形に対応して円状をなし、カバー取付面側溝部９１の中心に固定部１０１の中心孔１０１ａに挿通する位置決めピン９１ａを立設している点で実施例の電気電子部品の防水収容構造１と異なる。
なお、その他の構成は実施例と同様であり、実施例と同一構成部分には同一符号を付している。
【００６４】
この変形例３の電気電子部品の防水収容構造４は、実施例の電気電子部品の防水収容構造１と同様の効果を奏するとともに、固定部１０１を位置決めピン９１ａによって正規位置に保持するようになっているため、矢印Ｘ方向、および矢印Ｙ方向によってなるＸＹ平面上での固定部１０１の多方向のズレを阻止することができる。
【００６５】
なお、本発明の実施例に係る電気電子部品の防水収容構造１、２、３、４は、電気電子部品収容部１０がヒューズを内蔵するものを例示したが、これに限らず、その他の電気電子部品を内蔵するものであっても構わない。
【００６６】
また、本発明の実施例に係る電気電子部品の防水収容構造１、２、３、４は、電気電子部品内蔵コネクタ２００に用いるものを例示したが、これに限らず、電気電子部品を防水可能に収容するものであればその他のものに用いても構わない。例えば、電気接続箱に用いても構わない。
【００６７】
また、本発明の実施例に係る電気電子部品の防水収容構造１、２、３、４は、カバー部材５０が、電磁シールド機能を有する材料からなるものを例示したが、これに限らず、その他の、材料からなるものであっても構わない。
【００６８】
また、本発明の実施例に係る電気電子部品の防水収容構造１、２、３、４は、弾性シール部材４０、６０、８０、１００が一箇所に固定部４３、６１、８１、１０１を設けるもの例示したが、これに限らず、弾性シール部材に複数の固定部を設けても構わない。この場合、蓋本体部には複数の固定部の各固定部に対応する複数のカバー取付面側溝部を設ける。
【００６９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００７０】
１、２、３、４  電気電子部品の防水収容構造
１０            電気電子部品収容部
１０ａ          開口部
１１            絶縁収容部
１１ａ          内周面
１１ｂ          電気電子部品収容空間
１２            シールドカバー部
１３            ヒューズ（電気電子部品）
１４            ネジ（固定部材）
２０            防水蓋
３０、７０、９０  蓋本体部
３０ａ          周側面
３１            位置決め溝部
３１ａ          周方向溝部
３１ｂ          取付方向溝部
３１ｃ、７１、９１  カバー取付面側溝部
３２            カバー取付面
３２ａ          カバー部材固定部
４０、６０、８０、１００  弾性シール部材
４１            環状部
４２            突出部
４３、６１、８１、１０１  固定部
５０            カバー部材
５１            取付面
５１ａ          裏面
５２            ネジ挿通孔
５３            目視確認部
７１ａ          規制壁
８１ａ          端部折り曲げ部
８１ｂ          中心片
９１ａ          位置決めピン
１０１ａ        中心孔
２００          電気電子部品内蔵コネクタ
２０１          コネクタ端子
【図１】
2015176879.tif 000003
【図２】
2015176879.tif 000004
【図３】
2015176879.tif 000005
【図４】
2015176879.tif 000006
【図５】
2015176879.tif 000007
【図６】
2015176879.tif 000008
【図７】
2015176879.tif 000009
【図８】
2015176879.tif 000010
【図９】
2015176879.tif 000011
【図１０】
2015176879.tif 000012
【図１１】
2015176879.tif 000013
【図１２】
2015176879.tif 000014
【図１３】
2015176879.tif 000015